【手続補正書】
【提出日】平成16年9月28日(2004.9.28)
【手続補正１】
【補正対象書類名】明細書
【補正対象項目名】請求項１
【補正方法】変更
【補正の内容】
【請求項１】
複数の情報チャネルにおける情報信号を光パケットとして多重化し、光伝送系を介して所定の宛先へ伝送するために、当該光パケット毎に対応する波長を設定して出力する光送信装置であって、
前記情報信号および対応する前記宛先を示すアドレス情報を出力するデータ部と、
印加される波長制御電流に応じて一意に定まる波長の光を出力する波長可変光源と、
前記アドレス情報と前記波長制御電流との対応関係を記憶するメモリ部と、
前記メモリ部が記憶する前記対応関係に基づいて、前記データ部から出力された前記アドレス情報から前記波長制御電流を決定して、前記波長可変光源へ印加する制御部と、
前記データ部から出力された前記情報信号を用いて、前記波長可変光源から出力された前記光を変調することにより、前記光パケットを生成して出力する光変調部とを備え、
前記メモリ部は、単位時間内における前記情報チャネルに対応する前記光パケットの発生頻度である情報チャネル帯域幅が大きい光パケットほど、所定の基準波長により近接する波長が所定の複数の波長から割り当てられるように、当該波長に対して一意に定まる前記波長制御電流と、各アドレス情報との対応関係を記憶することを特徴とする、光送信装置。
【手続補正２】
【補正対象書類名】明細書
【補正対象項目名】請求項４
【補正方法】変更
【補正の内容】
【請求項４】
複数の情報チャネルにおける情報信号を光パケットとして多重化し、光伝送系を介して所定の宛先へ伝送するために、当該光パケット毎に対応する波長を設定して出力する光送信装置であって、
前記情報信号および対応する前記宛先を示すアドレス情報を出力するデータ部と、
印加される波長制御電流に応じて一意に定まる波長の光を出力する波長可変光源と、
前記アドレス情報と前記波長制御電流との対応関係を記憶するメモリ部と、
前記メモリ部が記憶する前記対応関係に基づいて、前記データ部から出力された前記アドレス情報から前記波長制御電流を決定して、前記波長可変光源へ印加する制御部と、
前記データ部から出力された前記情報信号を用いて、前記波長可変光源から出力された前記光を変調することにより、前記光パケットを生成して出力する光変調部とを備え、
前記メモリ部は、単位時間内における前記情報チャネルに対応する前記光パケットの発生頻度の変化量である情報チャネル帯域可変幅が大きい光パケットほど、所定の基準波長により近接する波長が所定の複数の波長から割り当てられるように、当該波長に対して一意に定まる前記波長制御電流と、各アドレス情報との対応関係を記憶することを特徴とする、光送信装置。
【手続補正３】
【補正対象書類名】明細書
【補正対象項目名】請求項１１
【補正方法】変更
【補正の内容】
【請求項１１】
複数の情報チャネルにおける情報信号を光パケットとして多重化し、光伝送系を介して所定の宛先へ伝送するために、当該光パケット毎に対応する波長を設定して出力する光送信装置であって、
前記情報信号および対応する前記宛先を示すアドレス情報を出力するデータ部と、
印加される波長制御電流に応じて一意に定まる波長を有し、前記データ部から出力された前記情報信号を用いて直接変調された前記光パケットを生成して出力する波長可変光源と、
前記アドレス情報と前記波長制御電流との対応関係を記憶するメモリ部と、
前記メモリ部が記憶する前記対応関係に基づいて、前記データ部から出力された前記アドレス情報から前記波長制御電流を決定して、前記波長可変光源へ印加する制御部とを備え、
前記メモリ部は、単位時間内における前記情報チャネルに対応する前記光パケットの発生頻度である情報チャネル帯域幅が大きい光パケットほど、所定の基準波長により近接する波長が所定の複数の波長から割り当てられるように、当該波長に対して一意に定まる前記波長制御電流と、各アドレス情報との対応関係を記憶することを特徴とする、光送信装置。
【手続補正４】
【補正対象書類名】明細書
【補正対象項目名】請求項１２
【補正方法】変更
【補正の内容】
【請求項１２】
複数の情報チャネルにおける情報信号を光パケットとして多重化し、光伝送系を介して所定の宛先へ伝送するために、当該光パケット毎に対応する波長を設定して出力する光送信装置であって、
前記情報信号および対応する前記宛先を示すアドレス情報を出力するデータ部と、
印加される波長制御電流に応じて一意に定まる波長を有し、前記データ部から出力された前記情報信号を用いて直接変調された前記光パケットを生成して出力する波長可変光源と、
前記アドレス情報と前記波長制御電流との対応関係を記憶するメモリ部と、
前記メモリ部が記憶する前記対応関係に基づいて、前記データ部から出力された前記アドレス情報から前記波長制御電流を決定して、前記波長可変光源へ印加する制御部とを備え、
前記メモリ部は、単位時間内における前記情報チャネルに対応する前記光パケットの発生頻度の変化量である情報チャネル帯域可変幅が大きい光パケットほど、所定の基準波長により近接する波長が所定の複数の波長から割り当てられるように、当該波長に対して一意に定まる前記波長制御電流と、各アドレス情報との対応関係を記憶することを特徴とする、光送信装置。
【手続補正５】
【補正対象書類名】明細書
【補正対象項目名】請求項１４
【補正方法】変更
【補正の内容】
【請求項１４】
複数の情報チャネルにおける情報信号を光パケットとして互いに異なる波長となるように多重化し、光伝送系を介して所定の宛先へ伝送する光伝送システムにおいて、当該光パケット毎に対応する波長を一意に割り当てる光波長割り当て方法であって、
単位時間内における前記情報チャネルに対応する前記光パケットの発生頻度である情報チャネル帯域幅が最も大きい光パケットに対して、所定の基準波長を割り当てる第１のステップと、
前記情報チャネル帯域幅が大きい光パケットほど、前記基準波長により近接する波長を所定の複数の波長から割り当てる第２のステップとを含む、光波長割り当て方法。
【手続補正６】
【補正対象書類名】明細書
【補正対象項目名】請求項１７
【補正方法】変更
【補正の内容】
【請求項１７】
複数の情報チャネルにおける情報信号を光パケットとして互いに異なる波長となるように多重化し、光伝送系を介して所定の宛先へ伝送する光伝送システムにおいて、当該光パケット毎に対応する波長を一意に割り当てる光波長割り当て方法であって、
単位時間内における前記情報チャネルに対応する前記光パケットの発生頻度の変化量である情報チャネル帯域可変幅が最も大きい光パケットに対して、所定の基準波長を割り当てる第１のステップと、
前記情報チャネル帯域可変幅が大きい光パケットほど、前記基準波長により近接する波長を所定の複数の波長から割り当てる第２のステップとを含む、光波長割り当て方法。
【手続補正７】
【補正対象書類名】明細書
【補正対象項目名】０００６
【補正方法】変更
【補正の内容】
【０００６】
波長ルータ２０３０は、異なる複数の出力ポートを有しており、伝送路２０１０を介して伝送されてきた光送信装置１０００からの光パケットを、当該波長と一意に対応する出力ポートからそれぞれ分岐出力する。
【手続補正８】
【補正対象書類名】明細書
【補正対象項目名】０００８
【補正方法】変更
【補正の内容】
【０００８】
【発明が解決しようとする課題】
しかしながら、従来の光伝送システムにおいて、以下のような３つの問題点がある。まず、第１の問題点について説明する。従来の光送信装置１０００における波長可変光源１０４０は、その特性上、波長に依存して出力パワーにばらつきが生じる。そのため、単位時間（例えば、３２個の光パケットを送出する時間）内において、情報チャネルに対応する光パケットの発生頻度（以下、情報チャネル帯域幅と称する）が大きいものに対して、出力パワーが大きい波長を割り当てると、光伝送部２０００に入力される光信号の平均パワーが大きくなり、出力パワーが小さい波長を割り当てると、平均パワーは小さくなる。したがって、光伝送部２０００に入力される光信号の平均パワーを所定の値に近づけるためには、情報チャネル帯域幅を考慮する必要がある。
【手続補正９】
【補正対象書類名】明細書
【補正対象項目名】００１４
【補正方法】変更
【補正の内容】
【００１４】
【課題を解決するための手段および発明の効果】
第１の発明は、複数の情報チャネルにおける情報信号を光パケットとして多重化し、光伝送系を介して所定の宛先へ伝送するために、当該光パケット毎に対応する波長を設定して出力する光送信装置であって、
情報信号および対応する宛先を示すアドレス情報を出力するデータ部と、
印加される波長制御電流に応じて一意に定まる波長の光を出力する波長可変光源と、
アドレス情報と波長制御電流との対応関係を記憶するメモリ部と、
メモリ部が記憶する対応関係に基づいて、データ部から出力されたアドレス情報から波長制御電流を決定して、波長可変光源へ印加する制御部と、
データ部から出力された情報信号を用いて、波長可変光源から出力された光を変調することにより、光パケットを生成して出力する光変調部とを備え、
メモリ部は、単位時間内における情報チャネルに対応する光パケットの発生頻度である情報チャネル帯域幅が大きい光パケットほど、所定の基準波長により近接する波長が所定の複数の波長から割り当てられるように、当該波長に対して一意に定まる波長制御電流と、各アドレス情報との対応関係を記憶することを特徴とする。
【手続補正１０】
【補正対象書類名】明細書
【補正対象項目名】００２０
【補正方法】変更
【補正の内容】
【００２０】
第４の発明は、複数の情報チャネルにおける情報信号を光パケットとして多重化し、光伝送系を介して所定の宛先へ伝送するために、当該光パケット毎に対応する波長を設定して出力する光送信装置であって、
情報信号および対応する宛先を示すアドレス情報を出力するデータ部と、
印加される波長制御電流に応じて一意に定まる波長の光を出力する波長可変光源と、
アドレス情報と波長制御電流との対応関係を記憶するメモリ部と、
メモリ部が記憶する対応関係に基づいて、データ部から出力されたアドレス情報から波長制御電流を決定して、波長可変光源へ印加する制御部と、
データ部から出力された情報信号を用いて、波長可変光源から出力された光を変調することにより、光パケットを生成して出力する光変調部とを備え、
メモリ部は、単位時間内における情報チャネルに対応する光パケットの発生頻度の変化量である情報チャネル帯域可変幅が大きい光パケットほど、所定の基準波長により近接する波長が所定の複数の波長から割り当てられるように、当該波長に対して一意に定まる波長制御電流と、各アドレス情報との対応関係を記憶することを特徴とする。
【手続補正１１】
【補正対象書類名】明細書
【補正対象項目名】００３４
【補正方法】変更
【補正の内容】
【００３４】
第１１の発明は、複数の情報チャネルにおける情報信号を光パケットとして多重化し、光伝送系を介して所定の宛先へ伝送するために、当該光パケット毎に対応する波長を設定して出力する光送信装置であって、
情報信号および対応する宛先を示すアドレス情報を出力するデータ部と、
印加される波長制御電流に応じて一意に定まる波長を有し、データ部から出力された情報信号を用いて直接変調された光パケットを生成して出力する波長可変光源と、
アドレス情報と波長制御電流との対応関係を記憶するメモリ部と、
メモリ部が記憶する対応関係に基づいて、データ部から出力されたアドレス情報から波長制御電流を決定して、波長可変光源へ印加する制御部とを備え、
メモリ部は、単位時間内における情報チャネルに対応する光パケットの発生頻度である情報チャネル帯域幅が大きい光パケットほど、所定の基準波長により近接する波長が所定の複数の波長から割り当てられるように、当該波長に対して一意に定まる波長制御電流と、各アドレス情報との対応関係を記憶することを特徴とする。
【手続補正１２】
【補正対象書類名】明細書
【補正対象項目名】００３５
【補正方法】変更
【補正の内容】
【００３５】
第１２の発明は、複数の情報チャネルにおける情報信号を光パケットとして多重化し、光伝送系を介して所定の宛先へ伝送するために、当該光パケット毎に対応する波長を設定して出力する光送信装置であって、
情報信号および対応する宛先を示すアドレス情報を出力するデータ部と、
印加される波長制御電流に応じて一意に定まる波長を有し、データ部から出力された情報信号を用いて直接変調された光パケットを生成して出力する波長可変光源と、
アドレス情報と波長制御電流との対応関係を記憶するメモリ部と、
メモリ部が記憶する対応関係に基づいて、データ部から出力されたアドレス情報から波長制御電流を決定して、波長可変光源へ印加する制御部とを備え、
メモリ部は、単位時間内における情報チャネルに対応する光パケットの発生頻度の変化量である情報チャネル帯域可変幅が大きい光パケットほど、所定の基準波長により近接する波長が所定の複数の波長から割り当てられるように、当該波長に対して一意に定まる波長制御電流と、各アドレス情報との対応関係を記憶することを特徴とする。
【手続補正１３】
【補正対象書類名】明細書
【補正対象項目名】００３７
【補正方法】変更
【補正の内容】
【００３７】
第１４の発明は、複数の情報チャネルにおける情報信号を光パケットとして互いに異なる波長となるように多重化し、光伝送系を介して所定の宛先へ伝送する光伝送システムにおいて、当該光パケット毎に対応する波長を一意に割り当てる光波長割り当て方法であって、
単位時間内における情報チャネルに対応する光パケットの発生頻度である情報チャネル帯域幅が最も大きい光パケットに対して、所定の基準波長を割り当てる第１のステップと、
情報チャネル帯域幅が大きい光パケットほど、基準波長により近接する波長を所定の複数の波長から割り当てる第２のステップとを含む。
【手続補正１４】
【補正対象書類名】明細書
【補正対象項目名】００４０
【補正方法】変更
【補正の内容】
【００４０】
第１７の発明は、複数の情報チャネルにおける情報信号を光パケットとして互いに異なる波長となるように多重化し、光伝送系を介して所定の宛先へ伝送する光伝送システムにおいて、当該光パケット毎に対応する波長を一意に割り当てる光波長割り当て方法であって、
単位時間内における情報チャネルに対応する光パケットの発生頻度の変化量である情報チャネル帯域可変幅が最も大きい光パケットに対して、所定の基準波長を割り当てる第１のステップと、
情報チャネル帯域可変幅が大きい光パケットほど、基準波長により近接する波長を所定の複数の波長から割り当てる第２のステップとを含む。
【手続補正１５】
【補正対象書類名】明細書
【補正対象項目名】００９７
【補正方法】変更
【補正の内容】
【００９７】
（第７の実施形態）
第７の実施形態に係る光送信装置は、出力光パケットを分岐モニタして、フィードバック制御を行う点に特徴を有する。以下、図面を参照しながら、本発明の第７の実施形態に係る光送信装置の構成および動作について説明する。
【手続補正１６】
【補正対象書類名】明細書
【補正対象項目名】０１００
【補正方法】変更
【補正の内容】
【０１００】
次に、第７の制御部１０３７は、第１の分岐部１０６０が出力した光パケットの波長およびパワーをモニタして、第１のメモリ部１０１１に記憶されている波長−パワーテーブルと比較参照する。その結果、モニタされた実際の波長が波長−パワーテーブルにおける波長とずれている場合には、当該ずれを補正するように、第１のメモリ部１０１１に記憶されている波長−電流テーブルを書き換える。例えば、波長制御電流を構成するパラメータの１つ以上を書き換える。